(57)【要約】      （修正有）【課題】運転者が選択したヘッドフォン装置を装着した搭乗者にのみ、運転者からの音声を伝達することができる車載装置、車載装置の制御方法及び制御プログラムを提供すること。【解決手段】複数のヘッドフォン装置１００〜１０２が接続され、これらヘッドフォン装置１００〜１０２を介して、当該ヘッドフォン装置１００〜１０２を装着した車両の搭乗者にオーディオ音声を伝達する車載装置において、車両の運転者の音声を入力する音声入力手段２３と、音声入力手段２３によって入力された運転者の音声を、外部からの指示に基づいて選択されたヘッドフォン装置１００〜１０２にのみ出力させるように制御する制御手段２０とを備える。【選択図】図１
2006115368.tif 000002
【特許請求の範囲】
【請求項１】
複数のヘッドフォン装置が接続され、これらヘッドフォン装置を介して、当該ヘッドフォン装置を装着した車両の搭乗者にオーディオ音声を伝達する車載装置において、
前記車両の運転者の音声を入力する音声入力手段と、
前記音声入力手段によって入力された前記運転者の音声を、外部からの指示に基づいて選択された前記ヘッドフォン装置にのみ出力させるように制御する制御手段とを備えることを特徴とする車載装置。
【請求項２】
前記音声入力手段によって前記運転者の音声が入力されたか否かを検出する検出手段を更に備え、
前記制御手段は、前記検出手段によって前記運転者の音声の入力が検出された場合には、外部からの指示に基づいて選択された前記ヘッドフォン装置にのみ、前記運転者の音声を出力することを特徴とする請求項１に記載の車載装置。
【請求項３】
前記制御手段は、前記ヘッドフォン装置に前記運転者の音声を出力する場合には、前記オーディオ音声の出力を中断し、前記運転者の音声のみを出力させるように制御することを特徴とする請求項１または２に記載の車載装置。
【請求項４】
前記制御手段は、前記ヘッドフォン装置に前記運転者の音声を出力する場合には、前記オーディオ音声の音量を調節し、この調節したオーディオ音声に前記運転者の音声を重畳して出力させるように制御することを特徴とする請求項１または２に記載の車載装置。
【請求項５】
前記制御手段は、前記ヘッドフォン装置に前記運転者の音声を出力する場合には、前記オーディオ音声の出力を中断し、前記運転者の音声のみを出力させるように制御するとともに、前記検出手段によって前記運転者の音声の入力が所定時間以上検出されない場合には、前記オーディオ音声を前記運転者の音声を出力する以前の音量で、前記ヘッドフォン装置に出力することを特徴とする請求項２に記載の車載装置。
【請求項６】
前記制御手段は、前記ヘッドフォン装置に前記運転者の音声を出力する場合には、前記オーディオ音声の音量を調節し、この調節したオーディオ音声に前記運転者の音声を重畳して出力させるように制御するとともに、前記検出手段によって前記運転者の音声の入力が所定時間以上検出されない場合には、前記オーディオ音声を前記運転者の音声を出力する以前の音量で、前記ヘッドフォン装置に出力することを特徴とする請求項２に記載の車載装置。
【請求項７】
前記車両には、表示用モニタが設けられ、
前記制御手段は、前記外部からの指示に基づいて、いずれかの前記ヘッドフォン装置が選択された場合には、いずれのヘッドフォン装置が選択されたかを、前記表示用モニタに表示することを特徴とする請求項１乃至６に記載の車載装置。
【請求項８】
前記複数のヘッドフォン装置は、それぞれ近距離無線通信によって接続されていることを特徴とする請求項１乃至７のいずれかに記載の車載装置。
【請求項９】
前記車載装置には、前記オーディオ音声及び前記運転者の音声を音声信号として送信する第１送受信部が設けられ又は接続され、前記ヘッドフォン装置には、前記第１送受信部から送信された前記音声信号を受信する第２送受信部が設けられ又は接続されることを特徴とする請求項１乃至８のいずれかに記載の車載装置。
【請求項１０】
複数のヘッドフォン装置が接続され、このヘッドフォン装置を介して、当該ヘッドフォン装置を装着した車両の搭乗者にオーディオ音声を伝達する車載装置の制御方法において、
前記車両の運転者の音声を入力する音声入力過程と、
前記音声入力過程によって入力された前記運転者の音声を、外部からの指示に基づいて選択された前記ヘッドフォン装置にのみ出力させるように制御する制御過程とを備えることを特徴とする車載装置の制御方法。
【請求項１１】
複数のヘッドフォン装置が接続され、このヘッドフォン装置を介して、当該ヘッドフォン装置を装着した車両の搭乗者にオーディオ音声を伝達する車載装置をコンピュータにより制御するための制御プログラムにおいて、
前記車両の運転者の音声を入力させ、
前記入力させた前記運転者の音声を、外部からの指示に基づいて選択された前記ヘッドフォン装置にのみ出力させることを特徴とする車載装置の制御プログラム。
【発明の詳細な説明】
【技術分野】
【０００１】
本発明は、ヘッドフォン装置が接続された車載装置、車載装置の制御方法及び制御プログラムに関する。
【背景技術】
【０００２】
一般に、車両内で音楽を楽しむために、ラジオ放送を受信したり、ＣＤを再生する機能を有する車載装置が知られている。また、最近では、例えば後部座席において、ヘッドフォン装置を用いて車内のスピーカから出力される音源の音声とは別の音源の音声が楽しめるようなものも提案されている（特許文献１参照）。
【特許文献１】特開平１１−０４１６９１号公報
【発明の開示】
【発明が解決しようとする課題】
【０００３】
しかしながら、従来のものでは、ヘッドフォン装置を介して音声を聴いているため、外部からの音声（例えば、運転者の呼びかけ）が聞こえないという問題があった。このような問題を解決するための１つの手法として、例えば、航空機の分野では、ヘッドフォン装置から出力される音声を一時中断して、このヘッドフォン装置を通じてアナウンスを流すものが知られている。しかし、この手法を車両に適用させた場合には、特定の搭乗者に向けて呼びかけたい時であっても、全員のヘッドフォン装置に運転者からの音声が流れてしまうという問題が生じることとなる。
【０００４】
本発明は、上述した事情に鑑みてなされたものであり、運転者が選択したヘッドフォン装置を装着した搭乗者にのみ、運転者からの音声を伝達することができる車載装置、車載装置の制御方法及び制御プログラムを提供することを目的とする。
【課題を解決するための手段】
【０００５】
上記目的を達成するために、本発明は、複数のヘッドフォン装置が接続され、これらヘッドフォン装置を介して、当該ヘッドフォン装置を装着した車両の搭乗者にオーディオ音声を伝達する車載装置において、車両の運転者の音声を入力する音声入力手段と、音声入力手段によって入力された運転者の音声を、外部からの指示に基づいて選択されたヘッドフォン装置にのみ出力させるように制御する制御手段とを備えることを特徴とする。
【０００６】
この場合において、音声入力手段によって運転者の音声が入力されたか否かを検出する検出手段を更に備え、制御手段は、検出手段によって運転者の音声の入力が検出された場合には、外部からの指示に基づいて選択されたヘッドフォン装置にのみ、運転者の音声を出力する構成としても良い。また、制御手段は、ヘッドフォン装置に運転者の音声を出力する場合には、オーディオ音声の出力を中断し、運転者の音声のみを出力させるように制御する構成としても良い。また、制御手段は、ヘッドフォン装置に前記運転者の音声を出力する場合には、オーディオ音声の音量を調節し、この調節したオーディオ音声に運転者の音声を重畳して出力させるように制御する構成としても良い。
【０００７】
また、制御手段は、ヘッドフォン装置に運転者の音声を出力する場合には、オーディオ音声の出力を中断し、運転者の音声のみを出力させるように制御するとともに、検出手段によって運転者の音声の入力が所定時間以上検出されない場合には、オーディオ音声を運転者の音声を出力する以前の音量で、ヘッドフォン装置に出力する構成としても良い。また、制御手段は、ヘッドフォン装置に運転者の音声を出力する場合には、オーディオ音声の音量を調節し、この調節したオーディオ音声に運転者の音声を重畳して出力させるように制御するとともに、検出手段によって運転者の音声の入力が所定時間以上検出されない場合には、オーディオ音声を運転者の音声を出力する以前の音量で、ヘッドフォン装置に出力する構成としても良い。
【０００８】
また、車両には、表示用モニタが設けられ、制御手段は、外部からの指示に基づいて、いずれかのヘッドフォン装置が選択された場合には、いずれのヘッドフォン装置が選択されたかを、表示用モニタに表示する構成としても良い。また、複数のヘッドフォン装置は、それぞれ近距離無線通信によって接続されている構成としても良い。また、車載装置には、オーディオ音声及び運転者の音声を音声信号として送信する第１送受信部が設けられ又は接続され、ヘッドフォン装置には、第１送受信部から送信された音声信号を受信する第２送受信部が設けられ又は接続される構成としても良い。また、近距離無線通信は、Ｂｌｕｅｔｏｏｔｈ（登録商標）規格に準拠するものである構成としても良い。
【０００９】
また、本発明は、複数のヘッドフォン装置が接続され、このヘッドフォン装置を介して、当該ヘッドフォン装置を装着した車両の搭乗者にオーディオ音声を伝達する車載装置の制御方法において、車両の運転者の音声を入力する音声入力過程と、音声入力過程によって入力された運転者の音声を、外部からの指示に基づいて選択されたヘッドフォン装置にのみ出力させるように制御する制御過程とを備えることを特徴とする。
【００１０】
また、本発明は、複数のヘッドフォン装置が接続され、このヘッドフォン装置を介して、当該ヘッドフォン装置を装着した車両の搭乗者にオーディオ音声を伝達する車載装置をコンピュータにより制御するための制御プログラムにおいて、車両の運転者の音声を入力させ、入力させた運転者の音声を、外部からの指示に基づいて選択されたヘッドフォン装置にのみ出力させることを特徴とする。
【発明の効果】
【００１１】
本発明によれば、運転者が選択したヘッドフォンを装着した搭乗者にのみ、運転者からの音声を伝達することができる。
【発明を実施するための最良の形態】
【００１２】
図１は、本発明の実施形態に係る車載装置１０の機能構成を示すブロック図である。車載装置１０には、複数（本実施形態では３つ）のヘッドフォン装置１００，１０１，１０２が無線接続されている。また、車載装置１０は、複数のオーディオ音声（例えば、ラジオ音声、ＣＤ、ＭＤ、ＤＶＤ、テレビ音声等）を出力可能に構成されており、車両の搭乗者は、第１〜第３のヘッドフォン装置１００〜１０２を装着することにより、それぞれ別個のオーディオ音声を聴取することができる。なお、各搭乗者が同一のオーディオ音声を聴取することもできる。
【００１３】
車載装置１０は、制御部（制御手段、検出手段）２０と、この制御部２０に接続され、車載装置１０の各種操作を行なう操作部２１と、ＡＶ（Audio Visual）再生機２２と、マイク（音声入力手段）２３と、スイッチ２４と、オーディオプロセッサ２５と、表示用モニタ２６Ａ，２６Ｂとを備えている。制御部２０は、車載装置１０の各部を中枢的に制御するものであり、制御プログラムおよび制御用データを予め記憶しているＲＯＭ３１と、このＲＯＭ３１内の制御プログラムに基づいて車載装置１０の全体を制御するＣＰＵ３２と、各種データを一時的に格納するＲＡＭ３３とを備えている。
【００１４】
ＡＶ再生機２２は、制御部２０の制御下、オーディオ音声をオーディオプロセッサ２５に出力するものであり、図示せぬラジオチューナ回路、ＣＤ再生機、ＭＤ再生機、ＤＶＤ再生機、テレビチューナ回路などを備えている。
【００１５】
マイク２３は、制御部２０の制御下、車載装置１０に搭乗者の音声を入力するためのものである。本構成では、マイク２３は運転者の口許に配置されており、このマイク２３を介して、運転者の音声（呼びかけ）を車載装置１０に入力することができる。
【００１６】
スイッチ２４は、運転者（外部）からの指示に基づいて、上記マイク２３で入力された音声をいずれのヘッドフォン装置１００〜１０２に出力するか選択するためのものである。このスイッチ２４は、車載装置１０に設けるものであっても良いが、車両の運転中であっても、運転者が容易に操作できるように、例えば、車両のハンドルなどに設けるものであっても良い。また、オーディオプロセッサ２５は、ＡＶ再生機２２から入力されたオーディオ音声に音量調整等を行なうものである。
【００１７】
表示用モニタ２６Ａ，２６Ｂは、テレビ映像やＤＶＤ映像を表示するほか、車載装置１０の各種操作を実行するためのメニュー画面や操作画面が表示されるものである。本構成では、車両の運転席側に運転席側表示モニタ２６Ａが設けられており、後部座席側に後部座席側表示モニタ２６Ｂが設けられている。
【００１８】
また、車載装置１０には、オーディオプロセッサ２５から入力されるオーディオ音声の信号を送信用の信号に変調して送信する第１送受信部４１が接続されている。この第１送受信部４１は、例えば、Ｂｌｕｅｔｏｏｔｈ規格に準拠して、車中に配置された第１〜第３のヘッドフォン１００〜１０２と、それぞれ近距離無線通信をするものであり、近距離無線通信の信号を送受信するためのアンテナ４２を備えている。具体的には、上記第１送受信部４１は、カード型の通信モジュールであり、車載装置１０に形成されているカードスロット（不図示）に挿入することによって、当該車載装置１０に接続されている。
【００１９】
一方、第１〜第３のヘッドフォン装置１００〜１０２は、上記第１送受信部４１と近距離無線通信を行なう第２送受信部１００ａ〜１０２ａと、この第２送受信部１００ａ〜１０２ａによって復調された音声を出力するヘッドフォン本体１００ｂ〜１０２ｂとを備えている。第２送受信部１００ａ〜１０２ａは、第１送受信部４１から受信した信号を復調して、ヘッドフォン本体１００ｂ〜１０２ｂに出力するものであり、この第２送受信部１００ａ〜１０２ａは、それぞれ、ヘッドフォン本体１００ｂ〜１０２ｂに搭載されている。また、第２送受信部１００ａ〜１０２ａは、近距離無線通信の信号を送受信するためのアンテナ１００ｃ〜１０２ｃを備えている。なお、通信方式はＢｌｕｅｔｏｏｔｈに限らず、無線ＬＡＮや赤外線（InfraRed）通信等の他の無線通信方式でもよい。
【００２０】
第１〜第３のヘッドフォン装置１００〜１０２は、車両の後部座席に配置されている。従って、後部座席に配置された表示モニタ２６にテレビ映像もしくはＤＶＤ映像を表示し、各ヘッドフォン装置１００〜１０２にテレビ音声もしくはＤＶＤ音声を出力することによって、後部座席において、テレビ放送もしくはＤＶＤ再生による映画などを楽しむことができる。
【００２１】
次に、上記構成を有する車載装置１０の動作（インタラプト処理）について説明する。
この処理は、車載装置１０から第１〜第３のヘッドフォン装置１００〜１０２へオーディオ音声を出力している場合に実行され、このオーディオ音声を中断させて、運転者の音声を選択されたヘッドフォン装置に出力するものである。
【００２２】
まず、制御部２０は、マイク２３を介して運転者の音声が制御部２０に入力されたか否かを判別する（ステップＳ１）。具体的には、制御部２０は、マイク２３を介して所定音量以上の音声を検出した場合には、運転者の音声が入力されたものと判別する。この判別において、運転者の音声が入力されない場合にはステップ１を繰り返し実行し、運転者の音声が入力された場合には、処理をステップＳ２に移行する。
【００２３】
続いて、制御部２０は、運転者の指示に基づいて選択されているヘッドフォン装置を検出する（ステップＳ２）。ヘッドフォン装置の選択は、運転者が予めスイッチ２４を操作することによって行われている。例えば、運転者が第１のヘッドフォン装置１００に、音声を出力したい場合には、この第１のヘッドフォン装置１００に該当するスイッチ２４を操作する。
【００２４】
次に、制御部２０は、運転者の指示に基づいて選択されたヘッドフォン装置にのみ、運転者からの音声を出力する（ステップＳ３ａ〜Ｓ３ｃ）。例えば、第１のヘッドフォン装置１００が選択されている場合、制御部２０は、オーディオ音声の出力を一時中断し、運転者の音声を、第１のヘッドフォン装置１００にのみ出力するとともに、後部座席側表示パネル２６Ｂに運転者の音声の出力がある旨を表示する（ステップＳ４）。この場合、第１送受信部４１は、第１のヘッドフォン装置１００に対応するアドレスに、オーディオ音声に換えて運転者の音声を変調した信号を送信する。一方、制御部２０は、選択されていない第２、第３のヘッドフォン装置１０１、１０２については、処理をステップ１に戻して、引き続きオーディオ音声を出力する。
【００２５】
制御部２０は、運転者からの音声の出力が終了した場合には、インタラプト処理を解除し（ステップＳ５）、処理をステップＳ１に戻して、第１のヘッドフォン装置１００にオーディオ音声を出力する制御に戻る。ここで、運転者からの音声の出力が終了したか否かは、運転者の音声入力の有無によって判断される。具体的には、マイク２３を介して音声が検出されない状態、すなわち無音状態が所定時間以上続いた場合には、運転者の音声の出力が終了したものと判断される。なお、運転者がスイッチ２４を操作することによって、当該音声の出力を終了する構成としても良い。
【００２６】
本実施形態では、車載装置１０のスイッチ２４を操作することによって、特定のヘッドフォン装置を選択することができ、当該ヘッドフォン装置を装着した搭乗者にのみ、運転者の音声を伝達することができる。このため、他のヘッドフォン装置を装着した搭乗者の邪魔をすることなく、目的の搭乗者のみに音声を伝達することができる。
【００２７】
また、本実施形態では、車載装置１０とヘッドフォン装置１００〜１０２とを近距離無線通信で接続しているため、近距離無線通信の範囲内であれば、車両の外部においても、ヘッドフォン装置１００〜１０２を介して音楽を楽しむことができるとともに、このヘッドフォン装置１００〜１０２の装着者に対してマイク２３を介して音声を伝達することができる。
【００２８】
また、本実施形態では、運転者からの音声を選択されたヘッドフォン装置に伝達する場合に、当該ヘッドフォン装置に出力されていたオーディオ音声の出力を一時中断するため、当該ヘッドフォンを装着した搭乗者は、運転者の音声が聞き取りやすくなり、確実に運転者の音声を伝達することができる。
【００２９】
また、本実施形態では、車両の運転席側及び後部座席には、運転席側表示モニタ２６Ａ及び後部座席側表示用モニタ２６Ｂが設けられており、いずれかのヘッドフォン装置が選択された場合には、いずれのヘッドフォン装置が選択されたかを、上記各表示用モニタ２６Ａ，２６Ｂにそれぞれ表示（例えば、アイコン表示など）するため、選択されたヘッドフォン装置を装着している搭乗者は、聴覚だけでなく視覚によっても、運転者から伝言があることを知ることができるとともに、運転者自身も上記搭乗者に音声が伝達されることを確認することができる。
【００３０】
上述した実施形態は、あくまで本発明の一態様に過ぎず、本発明の範囲内で任意に変形が可能である。例えば、本実施形態では、車載装置１０とヘッドフォン装置１００〜１０２とは、無線接続される構成について説明したが、これに限るものではなく、有線接続されているものであっても良い。また、本実施形態では、第１送受信部４１は、車載装置１０のカードスロット（不図示）に挿入されることによって、当該車載装置１０に接続される構成としているが、これに限るものではなく、車載装置１０が第１送受信部を搭載する構成としても良い。
【００３１】
また、本実施形態では、マイク２３を介して制御部２０に運転者の音声が入力されるか否かを検出し、音声入力が検出された場合には、選択されたヘッドフォン装置にのみ音声を出力する構成について説明したが、これに限るものではなく、運転者の音声入力の有無に関わらず、スイッチ２４の操作のみによって、ヘッドフォン装置に出力される音声をオーディオ音声から運転者の音声に切り換える構成としても良い。
【００３２】
また、本実施形態では、運転者からの音声を選択されたヘッドフォン装置に出力する場合に、当該ヘッドフォン装置に出力されていたオーディオ音声を中断する構成について説明したが、これに限るものではなく、オーディオ音声の音量を調節して、この調節したオーディオ音声に運転者の音声を重畳して出力する構成としても良い。これによれば、音楽を楽しみながら会話をすることができ、快適な車内空間を実現することができる。
【００３３】
また、以上の説明においては、車載装置１０を制御するための制御プログラムが制御部２０を構成するＲＯＭ３１に予め記憶されている場合について説明したが、各種磁気ディスク、光ディスク、メモリカードなどの記録媒体に制御プログラムを予め記録し、これらの記録媒体から読み込み、インストールするように構成することも可能である。また、通信インターフェースを設け、インターネット、ＬＡＮなどのネットワークを介して制御プログラムをダウンロードし、インストールして実行するように構成することも可能である。このように構成することにより、ソフトウェア的により高機能としたり、より信頼性の高い車載装置を構成することが可能となる。
【図面の簡単な説明】
【００３４】
【図１】本実施形態に係る車載装置の機能構成を示すブロック図である。
【図２】車載装置の動作を示すフローチャートである。
【符号の説明】
【００３５】
１０  車載装置
２０  制御部（制御手段、検出手段）
２１  操作部
２２  ＡＶ再生機
２３  マイク（音声入力手段）
２４  スイッチ
２６Ａ、２６Ｂ  表示用モニタ
４１  第１送受信部
４２  アンテナ
１００〜１０２  ヘッドフォン装置
１００ａ〜１０２ａ  第２送受信部
１００ｂ〜１０２ｂ  ヘッドフォン本体
１００ｃ〜１０２ｃ  アンテナ
【図１】
2006115368.tif 000003
【図２】
2006115368.tif 000004